(57)【要約】  皮下注射針用の装置は、皮下注射針、使用中に皮下注射針を囲むシース、コネクターとシース間のバイアス装置を、接続するコネクターを含む。シースは、バイアス装置によってバイアスがかけられるそれが入る第１の位置と、バイアス装置の力で後退した第２の位置の間で移動可能であり、その結果、使用中では、皮下注射針の先端は第１の位置で覆われるが、第２位置では露出する。この装置は、さらに皮下注射針の角度の位置をセットし、使用の後に針上のシースをロックする。
2016537138.tif 000002
【特許請求の範囲】
【請求項１】
皮下注射針の装置であって、：
皮下注射針に接続するためのコネクター；
使用中皮下注射針を囲むシース；
コネクターとシースの間のバイアス装置；を含み
前記シースは、バイアス装置によってバイアスがかけられる第１の位置と、前記バイアス装置の力で後退した第２の位置の間で移動可能であり、その結果、使用中では、前記皮下注射針の先端は第１の位置で覆われるが、第２位置では露出する、皮下注射針の装置。
【請求項２】
前記バイアス装置は、使用後にシースにバイアスをかけて第１の位置へ、それによって皮下注射針の先端を覆う、請求項１に記載の装置。
【請求項３】
前記コネクターは前記皮下注射針のハブ上に適合する接続ハブを含む、請求項１又は２に記載の装置。
【請求項４】
前記接続ハブが前記皮下注射針の前記針軸が通り抜けできる中心開口部を有する、請求項３に記載の装置。
【請求項５】
針軸と針ハブを含む皮下注射針をさらに含み、前記接続ハブは前記針ハブと一体化している、請求項１又は２に記載の装置。
【請求項６】
注入される表面に置かれるアームをさらに含み、前記シースに対して前記アームの角度は、前記皮下注射針を前記アームが正確な角度に置かれる前記表面に入れることを保証するあらかじめ決められた設定を有する、請求項１〜５のいずれか１つに記載の装置。
【請求項７】
注入される表面に置かれるアームをさらに含み、  前記アームには湾曲した下面があり、かつ前記下面の曲率半径が前記表面の曲率半径と一致する、請求項１〜６のいずれか１つに記載の装置。
【請求項８】
前記コネクターと前記皮下注射針の間の接続が、前記皮下注射針がマウントされる注射器に依存しない、請求項１〜７のいずれか１つに記載の装置。
【請求項９】
前記バイアス装置がスプリングを含む、請求項１〜８のいずれか１つに記載の装置。
【請求項１０】
前記スプリングが圧縮スプリングを含む、請求項７に記載の装置。
【請求項１１】
前記スプリングがコイルを含む、請求項９または１０に記載の装置。
【請求項１２】
前記皮下注射針の針軸がその長手軸を通過していくように、前記コイルスプリングが配置された、請求項１１に記載の装置。
【請求項１３】
前記バイアス装置がエラストマ材料を含む、請求項１〜８のいずれか１つに記載の装置。
【請求項１４】
前記スプリングが弓コイルを含む、請求項９または１０に記載の装置。
【請求項１５】
前記スプリングが２つの弓スプリングを含む、請求項１４に記載の装置。
【請求項１６】
前記シースがスプリングを円筒管含む、請求項１〜１５のうちのいずれか１つに記載の装置。
【請求項１７】
使用中、前記皮下注射針の前記針軸がその長手軸を通過していくように、前記シースを配置した、請求項１〜１６のうちのいずれか１つに記載の装置。
【請求項１８】
前記シースが剛体である、請求項１〜１７のうちのいずれか１つに記載の装置。
【請求項１９】
前記シースが通常の用途では変形しない、請求項１〜１８のうちのいずれか１つに記載の装置。
【請求項２０】
前記シースの下側面にくぼみまたは突起のような滑りを最小限にする表面が備わっている、請求項１〜１９のうちのいずれか１つに記載の装置。
【請求項２１】
使用後に前記皮下注射針上の前記シースをロックするロック装置をさらに含む、請求項１〜２０のうちのいずれか１つに記載の装置。
【請求項２２】
前記ロック装置は、前記シースに対して一定位置に第１の端部と、また、ロックされていない位置では、前記コネクターの表面を自由に移動でき、ロックされている位置では前記コネクターによって捕らえられている第２の端部とを備えた部材を含む、請求項２１に記載の装置。
【請求項２３】
前記ロック装置は、前記シースに対して一定位置の第１の端部と、また、ロックされていない位置では前記コネクターの外表面に、ロックされている位置では前記コネクターの内表面に位置する第２の端部とを備えた部材を含む、請求項２１または２２に記載の装置。
【請求項２４】
前記部材がリーフスプリングを含む、請求項２２または２３に記載の装置。
【請求項２５】
前記部材の第１の端部は前記シース上にマウントされたアーム上に固定されている、請求項２２〜２４のいずれか１つに記載の装置。
【請求項２６】
一旦ロックされた位置では、前記ロック装置を開けることができない、請求項２２〜２５のいずれか１つに記載の装置。
【請求項２７】
前記アームが距離ゲージを含む、請求項２５または２６に記載の装置。
【請求項２８】
前記シースはチャネルを含み、前記施錠機序はシースに凹部を含み、アンロック位置では前記チャネルを通して針が通過し、ロックの位置では前記針は凹部に停止する、請求項２１に記載の装置。
【請求項２９】
前記シースは前記チャネルまわりの内壁と外部壁を含み、および前記凹部は前記内壁と前記外部壁の間に規定される、請求項２８に記載の装置。
【請求項３０】
前記バイアス装置は前記接続ハブと前記シースの間のある１以上の弓スプリングを含む、請求項２８または２９に記載の装置。
【請求項３１】
前記内壁はその上部表面から外側に先細りになる、請求項２９または３０に記載の装置。
【請求項３２】
さらに距離ゲージを含み、前記皮下注射針を固定位置から一定距離に設置する、請求項１〜３１のいずれか１つに記載の装置。
【請求項３３】
前記距離ゲージが１つ以上の距離目盛を備えたアームを含む、請求項３２に記載の装置。
【請求項３４】
前記アームが前記シースにマウントされている、請求項３３に記載の装置。
【請求項３５】
前記距離ゲージが２つ以上の距離目盛を含む、請求項３３または３４に記載の装置。
【請求項３６】
第１と第２の距離目盛は、前記シースの中心から３．５ｍｍおよび４．０ｍｍそれぞれにある、請求項３３〜３５のうちのいずれか１つによる装置。
【請求項３７】
前記シースに対して前記アームの角度は、前記皮下注射針を前記アームが正確な角度に置かれる前記表面に入れることを保証するあらかじめ決められた設定を有する、請求項３３〜３６のうちのいずれか１つによる装置。
【請求項３８】
前記シースと前記アームの間の角度は７０〜９０度である、請求項３７に記載の装置。
【請求項３９】
前記距離ゲージはＣ−形状の先端を備えたアームを含み、前記アームは前記Ｃ−形状の凸側  に接続されている、請求項２７〜３８のうちのいずれか１つに記載に装置。
【請求項４０】
前記Ｃ−形状の先端は半径が眼球の前記縁と実質的に等しいアークである、請求項３９に記載の装置。
【請求項４１】
前記距離ゲージが第１と第２距離目盛を含み、前記第１の距離目盛が、前記Ｃ−形状の先端の外部周面にあり、かつ前記第２の距離目盛が、前記Ｃ−形状の先端の内部周面にある、請求項３９または４０に記載の装置。
【請求項４２】
前記アームの下側面にくぼみまたは突起などのような滑りを最小限にする表面が備わっている、請求項６、７及び３３〜４１のいずれか１つに記載の装置。
【請求項４３】
請求項１〜４０のいずれか１つに記載の前記眼球への治療薬を送達するための装置。
【請求項４４】
皮下注射針をさらに含む、請求項１〜４３のいずれか１つに記載の装置。
【請求項４５】
請求項１〜４４のいずれか１つに記載の装置を使用して、治療薬の身体部分に送達するかまたは身体部分から組織あるいは液体のサンプルを除去する皮下注射針を備えた注射器を配置する方法であって：
身体部分の表面に所望位置上に装置のシースを置くステップ；
皮下注射針が所定距離だけ身体部分に入り身体部分の表面に残る間に、シースがバイアス装置によって前記皮下注射針に対して第１の位置からその第２の位置への置き換えられるように、注射器を下方へ押すステップ；
身体部分に注射器の内容を注入するかまたは前記身体部分から組織または液体のサンプルを除去するステップ；
身体部分から注射器と皮下注射針を取り除くステップ、
を含む注射器を配置する方法。
【請求項４６】
前記身体部分は潰瘍を有する眼球、トルソ上の皮膚、および身体部分から選ばれる、請求項４５に記載の方法。
【請求項４７】
前記身体部分の固定位置に前記距離ゲージを置き、よって正確にシースを配置する補足ステップを含む、請求項４５または４６に記載の方法。
【請求項４８】
前記身体部分は眼球を含み、前記距離ゲージが前記眼球の縁に置かれる、請求項４７に記載の方法。
【請求項４９】
請求項４５〜４８のいずれか１つに記載の方法であって、
前記身体部分の表面に前記距離ゲージのアーム置き、よって前記シースの前記角度を設定するステップをさらに含む方法。
【請求項５０】
請求項４５〜４９のいずれか１つに記載の方法であって、
使用後に、前記シースが下方へ返り、そのために前記皮下注射針上の適所に前記シースをロックできるステップをさらに含む方法。
【請求項５１】
本明細書に付随する説明図を参照して実質的に記述された位置決め装置。
【請求項５２】
本明細書に付随する説明図を参照して実質的に記述された皮下注射針用の安全装置。
【請求項５３】
本明細書に付随する説明図を参照して実質的に記述された薬剤を前記眼球に送達する皮下注射針を位置決めする方法。
【請求項５４】
本明細書に付随する説明図を参照して実質的に記述された皮下注射針用の安全装置を作動させる方法。
【発明の詳細な説明】
【技術分野】
【０００１】
本発明は、皮下注射針を正確に配置しおよび／または皮下注射針が使用後の安全を確保するシステムに関する。本発明は、さらに本システムを使用する方法に関する。特に、本発明は眼球に治療薬を注入する誘導装置に関する。
【背景技術】
【０００２】
いくつかの眼疾患は、眼球後部の硝子体に治療薬を注入して治療する。そのような疾病は、以下に制限されないが、脈絡膜新生血管膜（「ぬれた」黄斑変性）、糖尿病性網膜症、糖尿病黄斑症、網膜の血管疾患、感染および炎症に続く黄斑浮腫、を含む。
【０００３】
治療薬の放出は皮下注射針によってなされる。また、注入の位置、角度および深さが正確であることは、水晶体、眼内レンズインプラント、網膜および結膜血管を含む重大な視覚構造への損傷を回避するために重要である。通常は、この技術は、ノギス・マーカーおよび臨床医の経験に基づいて自由裁量で実行される。
【０００４】
使い捨てのノギスを一般的に使用して注入ポイントを整列させることを図１に示す。図１は、注入前にマークされている患者の眼球１０を示す。使い捨てのノギス１２を使用して、射出ポイント１４を縁１６からの設定距離とマークする。（強膜および角膜が接触するところ−眼球の白と有色部分が接触しているのが見られる）。その後、注射器の皮下注射針はノギス・マークに置かれ、結膜と強膜によって押される。一旦皮下注射針が正確な深さに挿入されると、治療薬が注入される。この方法が射出の位置を特徴づける一方、それは射出の角度および深さの決定を支援しない。  この方法は、器具を繰り返し取り上げ、次に下へ置いてプロセスを鈍化させる必要がある。更に、使用されるシャープス（即ち、皮下注射針）は使用後に安全ではない。
【０００５】
特許文献１は、物質の眼内投与中の皮下注射針のポジショニングを援助する装置について記述している。この装置は、皮下注射針が通れる穴を備えた眼球に置かれる環状の支持体表面を含み、これによって、皮下注射針が貫通する位置、角度および深さが決まる。この装置には患者の不快感、眼球中奥深くまでのアクセスの難しさ  （これは患者群、特に高齢の患者の間で非常に共通である）および針刺しの安全性に対する用意がないということを含むいくつかの欠点がある。
【０００６】
特許文献２には、力を加えると破壊されて、針が露出されるように設計された保護スリープを備えた針についての記述がある。スリーブは初期位置または配置へ戻らない。保護スリープは、オフセット・マーカーを備えた汚染予防先端を持っていて別のポイントからの針先端部の正確な配置ができる。この保護スリープは、針刺し安全性の用意を持ち合わせていない。
【先行技術文献】
【特許文献】
【０００７】
【特許文献１】国際公開第２００８／０９７０７２号パンフレット
【特許文献２】国際公開第２０１３／０２８９３６号パンフレット
【発明の概要】
【発明が解決しようとする課題】
【０００８】
皮下注射針による針刺し損傷は医学の分野において一般的問題がある。皮下注射針は使用の後に「シャープス・ビン」の中で処分されるべきであるが、特に皮下注射針が直ちに処分されない場合、事故が今までどおり起こる場合がある。特に、治療薬が患者自身によって投与される場合、皮下注射針は適切に処分されないことがある。リクリエーショナル・ドラッグ使用者はしばしば皮下注射針を再使用する。本発明によって皮下注射針は使用直後に安全性が確保される。
【課題を解決するための手段】
【０００９】
本発明の第１の態様によれば、以下を含む皮下注射針の装置が提供される：
皮下注射針に接続するためのコネクター；
使用中皮下注射針を囲むシース；
コネクターとシースの間のバイアスをかける装置；
ここで、シースは、バイアス装置によってバイアスがかけられる第一の位置と、バイアス装置の力に対する第二の退避位置の間で移動可能であり、従って、使用中皮下注射針の先端は第１の位置で覆われ、しかし規定の長さの皮下注射針は、第２の位置で露出される。
【００１０】
好ましくは、バイアス装置は、使用後に第１の位置へシースにバイアスをかけて、それによって、皮下注射針の先端を覆う。
【００１１】
したがって、本装置は、注入の深さを規定する位置決めガイド、および使用後に皮下注射針の先端を覆うことによる安全デバイスを提供する。
【００１２】
本装置は、シースおよび／またはそれに釣り合うバイアス装置の長さを選択することにより、様々な長さの皮下注射針に適合できる。その結果、針は第１の位置で覆われるが、規定の長さで、第２の位置において露出される。
【００１３】
コネクターは接続ハブを含んでも良い。接続ハブは大きさと形があり、使用中皮下注射針のハブに適合する。接続ハブは円錐形または円錐台形状であって良い。接続ハブはすり合わせによって皮下注射針のハブに装着される。１つの実施例では、接続ハブは皮下注射針のハブに留められる。別の実施例では、接続ハブは溝があって皮下注射針ハブ上で良く見られる頂上部が安全に接合できる。別の実施例では、接続ハブは皮下注射針ハブに接合することができる。別の実施例では、本装置のハブは針のハブの不可欠な部分として製造される。接続ハブには中心開口部があり、使用中、皮下注射針の針軸が通過できる。接続ハブはプラスチック材料から作成してもよい。皮下注射針の用語ハブは、注射器に接続する皮下注射針のパーツを意味する。例えば、ルアーコネクターかプッシュ接続。
【００１４】
バイアス装置はスプリングを含んでいてもよい。スプリングは圧縮スプリングを含んでいてもよい。スプリングはコイルスプリングを含んでいてもよい。皮下注射針の針軸がその長手軸を通過していくように、コイルスプリングを配置する。代案として、別のスプリングはリーフスプリングを含んでいてもよい。１つの実施例では、スプリングは１つ以上の弓スプリング（例えば２つの弓スプリング）を含んでいてもよい。
【００１５】
あるいは、バイアス装置はエラストマ材料を含んでいてもよい。
【００１６】
シースは円筒形チューブを含んでいてもよい。使用中、皮下注射針の針軸がその長手軸を通過していくように、シースを配置する。シースは使用中に皮下注射針が通過するチャネルを含んでいてもよい。チャネルは長手軸と並べられる。
【００１７】
この装置は更にロック装置を含んでいてもよく、使用後に皮下注射針上のシースをロックする。ロック装置は、シースに対して一定位置に第１の端部と、また、ロックされていない位置では、コネクターの表面を自由に移動でき、ロックされている位置ではコネクターによって捕らえられている第２の端部とを備えた部材を含んでいてもよい。ロック装置は、シースに対して一定位置に第１の端部と、また、ロックされていない位置ではコネクターの外表面に、ロックされている位置ではコネクターの内表面に位置する第２の端部とを備えた部材を含んでいてもよい。材料はリーフスプリングを含んでいてもよい。部材の第１の端部はシース上でマウントされたアームにマウントされる。好ましくは、一旦ロック位置では、ロック装置を開けることができない。
【００１８】
１つの実施例では、ロック装置のアームは距離ゲージを含む。
【００１９】
実施例では、施錠装置は、シースに凹部を含む、ここではロック位置でチャネルを通して針が通過し、アンロックの位置で針は凹部に停止する。シースはチャネル、内壁および外部壁を含み、またロック装置は内壁と外部壁の間に規定される凹部を含む。バイアス装置は、ハブとシースの間に１つ以上の弓スプリングを含む。装置は、１つ以上弓スプリングを押すことにより、ロック位置に入れられ接続ハブとシースの間の距離を増加させる。１つ以上の弓スプリングを押して、チャネルから皮下注射針を離す。内壁の外側表面は、その上部表面から外へ先細りになる。この形によって皮下注射針を凹部へ入るように後押しする。
【００２０】
装置はさらに距離ゲージを含み、皮下注射針を固定位置から一定距離に設置する。距離ゲージは、１つ以上の距離目盛を備えたアームを含む。アームはシースにマウントされる。距離ゲージは２つ以上の距離目盛を含む。例えば、第１と第２距離目盛はシースの中心からの３．５ｍｍおよび４．０ｍｍにそれぞれ位置する。他の実施例では、距離目盛は応用によって様々な位置する。
【００２１】
したがって、この装置は、定点からのシースの相対的位置を決める。このようにして、皮下注射針の位置は決定される。例えば、この装置は、眼球上の縁からの針の相対的位置を決める。
【００２２】
この装置は、さらに皮下注射針の角度を決める。シースに対するアームの角度は、アームが置かれる表面に対する角度を設定する。したがって、シース（したがって皮下注射針）の角度は表面に対して設定されこの表面に対するアームの配置により注入される。例えば、この装置は、眼球上の表面からのシースの相対的角度を決める。アームは表面を完全に並べて置くために鞏膜の表面のそれに似ているカーブを特徴づける。あるいは、それは鞏膜の弯曲未満、あるいは直線であってもよい。例えば、アームは、シースからある角度で傾けられて射出ポイントの鞏膜の表面に垂直な針から射出できる。例えば、シースとアームの間の角度は７０〜９０度の間の範囲にある。アームは、例えば開脚位（例、幅０．５−２．０ｍｍ）、またはクローズドセ  ルフォームのような吸収材料と共に、患者への不快感を最小限にすような材料から構築される。さらに、シースのアームおよび下側面は、結膜上の滑りを最小限にするために例えば眼球の表面をつかむくぼみか突起と共に構築される。
【００２３】
本装置は、眼球または他の解剖学的部位への治療薬の送達のためにある。
【００２４】
本装置は、治療または生検用の組織または液体のサンプルを除去するためにある。
【００２５】
本装置はさらに皮下注射針を含んでいてもよい。
【００２６】
本装置はさらに皮下注射針と一体になっていてもよい。
【００２７】
発明の第２の態様は以下を含む装置を提供する：
コネクターを備えた皮下注射針；
中皮下注射針を囲むシース；
コネクターとシースの間のバイアス装置；
ここでは、シースは、バイアス装置によってバイアスがかけられて皮下注射器の先端が覆われる第一の位置と、皮下注射器が規定の長さで露出されるバイアス装置の力による第二の退避位置の間で移動可能である。
【００２８】
本発明の第３の態様は、身体部分への治療薬の送達ための、または、以下のステップを含む装置を使用して身体部分からの組織あるいは液体のサンプルの除去するための皮下注射針を備えた注射器を配置する方法を提供する：
身体部分の表面に所望位置上に装置のシースを置くステップ；
皮下注射針が所定距離だけ身体部分に入り身体部分の表面に残る間に、シースがバイアス装置によって皮下注射針に対して第１の位置からその第２の位置へ置き換えられるように、注射器を下方へ押すステップ；
身体部分に注射器の内容を注入するか、組織または液体のサンプルを除去するステップ；
身体部分から注射器と皮下注射針を取り除くステップ。
【００２９】
身体部分は、眼球、トルソ上の皮膚および腫瘍のまわりの身体部分のグループから選ぶことができる。身体部分は、治療薬の送達の位置および深さが重要である任意の身体部分からなる。
【００３０】
本方法は、以下の補足ステップを含む：
固定位置は、身体部分の解剖学的特徴、または例えばＸ線、ＭＲＩなどのような医用画像のヘルスワーカーによって作られたマーキングを含んでいてよい。
【００３１】
本方法は、以下の補足ステップを含む：
身体部分の表面に距離ゲージのアームを置き、よって正確にシースの角度を設定するステップ。
【００３２】
本方法は、以下の補足ステップを含む：
使用後、バイアス装置の力でのシースが下方に戻り、  よって針先を覆うステップ。
【００３３】
本発明の第４の態様は、次のステップを含む装置を使用して、治療薬の送達用皮下注射針を備えた注射器を配置するまたは眼球からの組織および液体のサンプルを眼球から除去する方法を提供する：
眼球の表面に所望位置に装置のシースを置くステップ；
皮下注射針が所定距離だけ眼球に入って眼球の表面に残る間に、シースがバイアス装置によってその皮下注射針に対して第１の位置から第２の位置への置き換えられるように、注射器を下方へ押すステップ；
身体部分に注射器の内容を注入するまたは組織または液体のサンプルを除去するステップ；
眼球から注射器と皮下注射針を取り除くステップ。
【００３４】
本方法は、以下の補足ステップを含む：
眼球の縁の固定位置に距離ゲージを置き、よって正確にシースを配置するステップ。
【００３５】
本方法は、以下の補足ステップを含む：
眼球の表面に距離ゲージのアームを置き、よって正確にシースの角度を設定するステップ。
【００３６】
本方法は、以下の補足ステップを含む：
使用後、バイアス装置の力でのシースが下方に戻り、よって針先を覆うステップ。
【００３７】
本発明の第５の態様によれば、以下を含む皮下注射針の装置が提供される：
皮下注射針に接続するためのコネクター；
使用中皮下注射針を囲むシース；
コネクターとシースの間のバイアス装置；
ここで、シースは、バイアス装置によってバイアスがかけられて入る第１の位置と、バイアス装置の力で後退した第２の位置の間で移動可能である。その結果、使用中、皮下注射針の先端は第１の位置で覆われるが、第２位置では露出する；
使用後に第１の位置でシースをロックするロック装置。
【００３８】
本発明の第６の態様によれば、以下を含む皮下注射針の装置が提供される：
皮下注射針軸；
皮下注射針軸を注射器に接続するためのハブ；
皮下注射針軸またはハブに接続するためのコネクター；
使用中皮下注射軸を囲むシース；
コネクターとシースの間のバイアス装置；
ここで、シースは、バイアス装置によってバイアスがかけられて入る第１の位置と、バイアス装置の力で後退した第２の位置の間で移動可能である。その結果、使用では、皮下注射針の先端は第１の位置で覆われるが、第２位置では露出する；
使用後に第１の位置でシースをロックするロック装置。
【００３９】
ロック装置は、シースに対して一定位置に第１の端部と、また、ロックされていない位置では、コネクターの表面を自由に移動でき、ロックされている位置ではコネクターによって捕らえられている第２の端部とを備えた部材を含んでいてもよい。
【００４０】
ロック装置は、シースに対して一定位置に第１の端部と、  また、ロックされていない位置ではコネクターの外表面に、ロックされている位置ではコネクターの内表面に位置する第２の端部とを備えた部材を含んでいてもよい。材料はリーフスプリングを含んでいてもよい。
【００４１】
一つの実施形態では、部材の第１の端部はシース上にマウントされたアーム上に固定される。
【００４２】
実施例では、シースはチャネルを含み、また、施錠装置は、シース中の凹部を含み、そこでは、ロック装置は、チャネルと外部壁の間の凹部を含む、かつ、ロックされていない位置では、針はチャネルを通り抜け、また、ロック位置では、針は凹部に休止する。シースはチャネルまわりの内壁および外部壁を含み、また凹部は内壁と外部壁の間に規定される。バイアス装置は、ハブとシースの間に１つ以上の弓スプリングを含む。内壁の外側表面は、その上部表面から外へ先細りになる。
【００４３】
本発明の第７の態様によれば、以下を含む皮下注射針の装置が提供される：
皮下注射針に接続するためのコネクター；
チャネルと凹部を含むシース；
およびシースにバイアスをかけてコネクターから遠ざけるコネクターとシースの間のバイアス装置；
ここでは、使用中、ロックされていない位置で、皮下注射針はシースのチャネルを通過し、およびロックされた位置では、皮下注射針は、シースの内部および外部壁の間の凹部に位置する。
【００４４】
ロックをかけていない位置では、力がバイアス装置のバイアスに対してシースにかけられないのであれば、シースは針を覆うことができる。
【００４５】
バイアス装置はスプリング（例えばコイル、リーフ、弓スプリング）を含む。１つの実施例では、スプリングは２つ以上の弓スプリングを含む。
【００４６】
本装置は、皮下注射針の位置および角度の少なくとも１つを設定するゲージを含む。アームはシースにマウントされる。ゲージは、皮下注射針の位置を固定ロケーションからの設定距離に設定する。ゲージは、皮下注射針の角度を決める。
【００４７】
発明の８番目の態様によれば、皮下注射針の先端、関する安全デバイスをロックする方法が提供されるが、この安全デバイスは皮下注射針に接続されたコネクター、皮下注射針が通るチャネルおよび凹部およびコネクターとシースの間のバイアス装置を含むシースを含み；本方法は以下を含む：
シースをコネクターから押しのけシースのチャネルから皮下注射針を離すステップ；
シースを解放し、皮下注射針がシース内の凹部に入り込むステップ。
【００４８】
本方法は接続ハブにシースを横に移動させることを含む。その結果、皮下注射針はチャネルと位置ずれを起こす。
【００４９】
１つの実施例では、バイアス装置は１つ以上の弓スプリングを含み  各弓スプリングは凸面を有し、  また、コネクターからシースを引き離すステップは、１以上の弓スプリングの凸面を押すことを含む。バイアス装置は、外へ面するそれらの凸面と実質的に互いに向かい合う２つの弓スプリングを含む。また、コネクターからシースを押しのけるステップは弓スプリングの凸面を押すことを含む。
【００５０】
好ましくは、一旦ロック位置では、ロック装置を開けることができない。
【００５１】
コネクターは、皮下注射針の不可欠な部分を含む。あるいは、コネクターは、皮下注射針上に（例えば皮下注射針の接続ハブ上に）適合する。
【００５２】
本装置は、眼球以外の身体部分に注入する際に使用に適している。例えば、皮下注射、関節内注射または経皮的注射。特に、それは標的腫瘍注射に適している。
【００５３】
本明細書の記載および請求項の全体にわたって、単語「含む」、「包含する」、およびこれらの変異語、「含んでいる」や「包含している」は、意味する「これらに限定されず〜を含み」、かつその他のコンポーネントまたはステップを除外するものではない。さらに、もしコンテキストが他の点を必要としなければ、単数は複数を包含する：特に、不定冠詞が使用される場合、もしコンテキストが他の点を要求しなければ、明細書は単数と同様に複数も熟考されるとものとなっている。
【００５４】
発明の各態様の好ましい特徴は他の任意の態様との関連で記述されうる。本発明の特徴は以下の例から明白になるであろう。概して言えば、発明は、この明細書（付随する任意の請求項および図を含む）に開示された特徴の任意の新奇なもの、もしくは任意のそれらの新しい組み合わせまでに及ぶ。したがって発明の特別の態様、実施例または例題と共に記載された特徴、特性あるいはステップは、  もし非互換性でなければここに記載された他の態様、実施例あるいは例題に適用可能なものと理解されている。さらに、他の点が述べられていないならば、ここに開示された任意の特徴も、同じまたは同様の目的に役立つ代替特徴によって取り替えられることもできる。
【００５５】
本発明は、以下の非限定の例題および付随する説明図を参照してさらに記述されるであろう。
【図面の簡単な説明】
【００５６】
【図１】注入に先立って正確な位置をマークする先行技術の方法を示す図である。
【図２】本発明の略図である。
【図３】Ａ及びＢは、それぞれ２つの実施例において注射器の２つの位置に設置されていることを例証する図である。
【図４】Ａ及びＢは、眼球に正確に注射器を設置する装置の断面図を示す。
【図５】Ａ及びＢは、有水晶体および偽水晶体の眼球での異なる位置付けをする装置を示す図である。
【図５Ｃ】有水晶体および偽水晶体の眼球での異なる位置付けをするそれぞれの装置を示す図である。
【図５Ｄ】有水晶体および偽水晶体の眼球での異なる位置付けをするそれぞれの装置を示す図である。
【図６】本装置を皮下注射針上に接続するのを説明する側面図である。
【図７】本装置を皮下注射針のコネクションハブを説明する側面図である。
【図８】Ａ、Ｂ及びＣは、本装置の施錠装置を説明する図である。
【図９Ａ】本装置の施錠装置の実施例を説明する図である。
【図９Ｂ】本装置の施錠装置の実施例を説明する図である。
【図９Ｃ】本装置の施錠装置の実施例を説明する図である。
【図１０Ａ】本装置のさらなる実施例を説明する図である。
【図１０Ｂ】本装置のさらなる実施例を説明する図である。
【図１０Ｃ】本装置のさらなる実施例を説明する図である。
【図１０Ｄ】本装置のさらなる実施例を説明する図である。
【図１０Ｅ】本装置のさらなる実施例を説明する図である。
【図１０Ｆ】本装置のさらなる実施例を説明する図である。
【図１１Ａ】使用中の図１０Ａ〜図１０Ｆの実施例を説明する図である。
【図１１Ｂ】使用中の図１０Ａ〜図１０Ｆの実施例を説明する図である。
【発明を実施するための形態】
【００５７】
図２は本発明の装置である。装置１８は、これらの間で配置された皮下注射針、シース２２およびコイルスプリング２４のハブに接続する接続ハブ２０を含む。皮下注射針軸が、シースの内部径が皮下注射針の外寸より大きいこれらの中心を通り抜けられるように、シース２２およびスプリング２４が形成される。
【００５８】
シースの長手軸から横に伸びるアーム２６が、シース２２にマウントされる。アームには、シースの中心からのあらかじめ規定された距離に２つの距離ゲージ２８と３０が備わっている。
【００５９】
図３Ａおよび図３Ｂは、注射器３２および皮下注射針３４上にマウントされた装置１８を示す。接続ハブ２０は皮下注射針１８のハブ（図示せず）にマウントされる。また、皮下注射針はスプリングとシースの長手軸に沿って伸びる。力がスプリング上に及ばさない場合、図３Ａに示されるように、皮下注射針３４は装置内に完全に囲まれる。しかしながら、スプリング２４が圧縮される場合、皮下注射針３４はシース２２の底から外に伸びる。スプリング２４が接続ハブ２０とシース２２の間で完全に圧縮される時、皮下注射針３４はシース２２から外に一定量突き出る。
【００６０】
コネクター、スプリングおよびシースの配置によって、装置が使用されていない場合皮下注射針の鋭い針先端が防御されて、針点による偶然の外傷の危険からヘルスケアワーカーおよび患者を守られることを保証する。使用中に、眼球内へ針を動かすことはシースによって制限され、針先が眼球へあまり深く進まず繊細な視覚の構造に損害をもたらさないことを保証している。
【００６１】
図４は、眼球の後上葉区内のガラス体液へ治療薬を投与する前に眼球に注射器の皮下注射針を正確に設定する、使用中の装置を示す。図４Ａは、角３６を示す上から、眼球１０の横断切片を説明する。注射器３２および装置１８を備えた皮下注射針３４は注入に先立って眼球上で並べられて示されている。距離ゲージ３０は縁１６に沿って並べられ（眼球の白と有色の部分間の境界）、その結果縁から移動式アーム２６によって放射状に置くことによって、シースは設定距離離して配置される。アーム２６は鞏膜の表面上に置かれ、よってシースの角度が設定される。エントリーのポイントでの強膜に対してのシース（そのために皮下注射針）の角度は、７０度〜９０度の範囲に、好ましくは９０度であるに違いない。
【００６２】
一旦シースの位置および角度がアーム２６および距離ゲージ３０によって設定されたならば、皮下注射針３４は図４のＢで示される眼球に挿入できる。シースが眼球の表面に置かれている一方、注射器３２は下方へ押され、ハブ２０とシース２２の間のスプリング２４を圧縮する。この運動中に、位置決めガイド（シースを含む）が眼球の外側に残っている間、皮下注射針３４は一定距離（即ち、スプリングが完全に圧縮される場合）だけ眼球に押し込まれる。皮下注射針３２は、設定された位置、角度および深さで眼球に挿入された。この正確な位置で、薬剤は眼球の如何なる構造も破損せずに、ガラス体液に注入される。  
【００６３】
図５のＡで説明されるように眼球は有水晶体（自然な水晶体を含んでいる）または図５のＢに説明されるように偽水晶体（自然なレンズを取り除き、人工水晶体と取り替えられた場合）であってもよい。これらの２つの場合では、注入の位置が異なる；有水晶体眼の縁から４ｍｍ、および偽水晶体眼球の縁から３．５ｍｍ。装置には、シースの中心線からのこれらの２つの距離を決める距離ゲージ上に２つの距離目盛２８および３０がある。図５のＡでは、外部の距離目盛３０は縁に沿って書かれてあり、それによって、シースの中心線を４ｍｍ遠方に配置する。図５Ｂでは、内部距離目盛２８は縁に沿って書かれてあり、それによって、シースの中心線を３．５ｍｍ遠方に配置する。
【００６４】
距離ゲージの他の実施例を図５Ｃおよび図５Ｄに示す。この実施例では、距離ゲージ２６の遊離末端には眼球の縁にそれに似ているか等しい曲率半径を備えたＣ−形状の先端２７があります。シースの中心からＣ−形状の先端の外部周面までの距離ゲージに沿った距離は、３．５ｍｍであるが、一方、シースの中心からＣ−形状の先端の内部周面までは、４．０ｍｍがある。したがって、同じ距離ゲージは、Ｃ−形状の先端の外部あるいは内部のいずれから縁へと整列させることによって有水晶体眼または偽水晶体の眼球上で使用できる。図５Ｃは、縁と並んでいるＣ−形状の先端２７の外部周面を示す、一方、図５Ｄは、縁と並んでいるＣ−形状の先端２７の内部周面を示す。
【００６５】
図６および図７は、どのように装置１８が皮下注射針に適合するか示す。皮下注射針３４は典型的には注射器３２に適合する針軸３８およびハブ４０を含む。針ハブ４０は典型的にはテーパー状になっている。また、装置の接続ハブには円錐台形状が備わっていてそれが針のハブに押される。接続ハブ２０の内表面はハブ４０のそれに対して対応するテーパー角あり、それが摩擦によって適所に保持されている。図７は、接続ハブ２０が４０皮下注射針のハブ上に適合したことを示す；弾力のある鉤４２および４４は  皮下注射針ハブ４０の頂面とかみ合う接続ハブ２０の一番上に備わっていて、それを安全な位置に保持すること。針ハブ上の突起に適合するように設計された接続ハブ内のスロットを含めて他の適切な方法を使用して接続ハブを針ハブに取り付けられる。あるいは、接続ハブは針ハブに一体化された部分であってもよい。
【００６６】
図８に説明されるように、使用前に装置はセーフティ機構も備わっていて皮下注射針の先端を覆い、かつ使用後にこの位置にロックされる。
【００６７】
図８のＡは使用準備が完了した装置を示す。セーフティ機構は、１つの終端５０のシース２２から伸びるアーム４８上にマウントされ、接続ハブ２０の外側表面５４にもたれかかる自由末端５２を持つ、リーフスプリング４６から成るリーフスプリング４６の自由末端５２は丸くなっていて、接続ハブ２０の表面上を滑らかなに移動できる。
【００６８】
図８のＢは、シース２２は後退した位置にある使用中の装置、およびシース２２から伸びる皮下注射針３４の先端を示す。この位置では、リーフスプリング４６の自由末端５２は、接続ハブ２０の表面５４を上方へ移動した。
【００６９】
図８のＣはロック状態の装置を示す。シース２２がイチジク８Ｂの中で示されるその後退位置から解放されると、それはコイルスプリング２４（図示せず）によって下方へ押される。リーフスプリング４６は、同様に図８Ａに示されるようにその元の状態に返る。この位置から、リーフスプリングは図８Ｃ示されるように奥に引き込んだハブの下で再配置されることがある。一旦リーフスプリング４６の遊離末端５２が接続ハブ２０の刃端縁から移動したならば、それは内側へそらされる、また、シース２２の上方への移動は自由末端５２を接続ハブ２０の内表面に押し込み、  さらに上向きの移動を防ぎシース２２が上方へ十分に動き皮下注射針３４を露出されるのを防ぐ。
【００７０】
図９Ａ〜図９Ｃは、錠装置の第２の実施例を説明する；この実施例では、距離ゲージは、シース２２に付けられたアーム２６を含み、アーム２６は、図５Ｃおよび図５Ｄに述べられているようにＣ−形状２７を有する。リーフスプリング４６はアーム２６に付けられており、上方へ伸びて施錠装置を形成する。図９Ａは、その初期位置での装置を示し、リーフスプリング４６の自由末端５２が接続ハブ２０の外側表面に停止している；図９Ｂは、スプリング２４は圧縮されおよびリーフスプリングの自由末端は、接続ハブ２０の外側表面に対して上方へ伸びている使用中装置を示す；また、図９Ｃは、ロック状態の装置を示し、リーフスプリング３６の自由末端は接続ハブの内周面に置かれている。
【００７１】
さらなる実施例は図１０Ａ〜図１０Ｆで説明される。図１０Ｆは装置５６の斜視図を示し、図１０Ａ〜図１０１０Ｄはそれぞれ上面図、正面図、底面図および側面図を示す。また図１０Ｂは図１０ＥのＢ〜Ｂを貫く横断面を示す。
【００７２】
装置５６は、これらの間で配置された皮下注射針、シース２２および一対の弓スプリング５８のハブに接続する接続ハブ２０を含む。前の実施例では、接続ハブ２０、シース２２および弓スプリング５８が形成され、皮下注射針に接続された時、力が弓スプリング５８にかけられない場合、皮下注射針の先端がシース２２によってカバーされる。
【００７３】
前の実施例のように、装置５６には装置がマウントされる皮下注射針を配置するゲージ６０が備わっている。距離ゲージ６０は、固定マーカーからの皮下注射針の距離（Ｃ−形状の凹面とシースの中心開口部の間の距離によって）と皮下注射針の角度（ゲージの裏面の形によって）の両方を設定する。さらに、皮下注射針の距離および角度を設定する他のタイプのゲージは、特に、上記の他の実施例に示した項目において適切である。
【００７４】
図１０Ｅの断面は、シース２２の詳細をより詳細に示す。シース２２は、中心開口部によって形成されたチャネル６６、外部壁６２、チャネル６６のまわりの内壁６４、また内部および外部壁６４、６２の間で規定された凹部６８、を含む。内壁の外側表面は円錐形で、  チャネルの一番上で最小の直径で外へ先細りになっている。外部壁は円筒状で、それによって、それらの間の円形凹部を形成する。
【００７５】
使用中の装置５６は図１１Ａおよび図１１Ｂで示され、ともに図１０Ｅと同じ断面図である。
【００７６】
図１１Ａは、皮下注射針に接続され、眼球１０の表面に置かれた装置５６を示す。圧力は弓スプリングに対して加えられていない。また、装置５６はその受動状態である。針軸３４は、シース２２のチャネル６６で見られる、その先端はシースによってカバーされている。使用中、皮下注射針は眼球に押しつけられ弓スプリングを圧縮し、その結果、接続ハブ２０とシース２２の間の距離が減少し、針軸３４が眼球１０に入ることができる。前の実施例より異なるスプリングは使用されるが、基礎的な機序は同じである。
【００７７】
図１１Ｂは、ロック位置（皮下注射針の針軸３４は、シースの内部および外部壁６４、６２の間の凹部６８に停止している）の装置５６を示す。この位置では、弓スプリングにどのように圧縮力をかけても、針がアンロックの状態にはならない。
【００７８】
装置は、単に弓スプリング５８をおして、シース２２を接続ハブ２０から押しのけることにより、図１１Ａの中の位置からロックされ、針軸３４をチャネル６６から解放させる。弓スプリング５８の少しの接線運動は針軸３４を凹部６８に押し込む。チャネルおよび針軸の間の耐性は小さいので針軸がチャネルへ偶然に押し返されることは難しい。
【００７９】
他の方法を使用することができるが、装置は射出成形か３Ｄ印刷によって適切に製造される。
【００８０】
この装置は、針刺し損傷に対する、能動的・消極的防護の両方を提供する。動作位置は施錠装置によって提供されまる。これによってシースは使用後に皮下注射針の先端に置かれてロックされる。受動の位置は、正常な使用での皮下注射針先端を取り巻くシースによって提供される；針先端部は、力がバイアス装置に対するシースに及ぼされる場合のみ、露出する。また、これが起こるには、シースは注入されつつある身体部分、即ち、眼球に停止していなければならない、そして針先端部のみシースから真っすぐに身体部分自体に突き出なければならない。
【００８１】
装置は眼球に加えて一連の身体部分の用途（例えば皮下注射）に適している。装置は、ゲージのあるなしに関わらずロック装置として使用できる。ゲージは特別の用途に適している場合がある。装置は、癌部位をターゲットとした注射剤に特に適している。
【００８２】
この発明は、単一の装置で注入の位置、角度および深さが設定できる長所がある。さらに、その発明は、ヘルスケアワーカーおよび患者に不注意な損傷からの保護を与える。
【図２】
2016537138.tif 000003
【図３ａ】
2016537138.tif 000004
【図３ｂ】
2016537138.tif 000005
【図４Ａ】
2016537138.tif 000006
【図４Ｂ】
2016537138.tif 000007
【図５Ｃ】
2016537138.tif 000008
【図５Ｄ】
2016537138.tif 000009
【図６】
2016537138.tif 000010
【図７】
2016537138.tif 000011
【図８Ａ】
2016537138.tif 000012
【図８Ｂ】
2016537138.tif 000013
【図８Ｃ】
2016537138.tif 000014
【図９Ａ】
2016537138.tif 000015
【図９Ｂ】
2016537138.tif 000016
【図９Ｃ】
2016537138.tif 000017
【図１０Ａ】
2016537138.tif 000018
【図１０Ｂ】
2016537138.tif 000019
【図１０Ｃ】
2016537138.tif 000020
【図１０Ｄ】
2016537138.tif 000021
【図１０Ｆ】
2016537138.tif 000022
【図１１Ａ】
2016537138.tif 000023
【図１１Ｂ】
2016537138.tif 000024
【図１】
2016537138.tif 000025
【図５】
2016537138.tif 000026
【図１０Ｅ】
2016537138.tif 000027
【国際調査報告】
2016537138.tif 000028
2016537138.tif 000029
2016537138.tif 000030
2016537138.tif 000031
2016537138.tif 000032